(57)【特許請求の範囲】
【請求項１】
前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を、当該商品見本を個別に保持するホルダーを介して配列してなる自動販売機の商品見本展示装置において、前記ホルダーは前記中扉に形成された係合部に係合・離脱する係止部を有する固定部材、該固定部材に回動自在に軸支されるとともに前記商品見本を載置する保持部材、および前記固定部材に対して保持部材の取付け角度を調整可能な調整手段とからなり、前記商品展示室周囲の側壁を形成するとともに透明パネルの周縁をその裏面側から保持するパネル押え金具に取り付けてなる照明光源とを備えたことを特徴とする自動販売機の商品見本展示装置。
【請求項２】
請求項１に記載の自動販売機の商品見本展示装置において、調整手段は前記固定部材に対して保持部材を回動自在に軸支するねじであることを特徴とする自動販売機の商品見本展示装置。
【請求項３】
請求項１に記載の自動販売機の商品見本展示装置において、保持部材は前記商品見本の選択指定番号、商品価格、および冷温状態を表示する商品情報表示体を保持する掲示部を有することを特徴とする自動販売機の商品見本展示装置。
【発明の詳細な説明】
【技術分野】
【０００１】
本発明は、自動販売機の外扉前面に画成された商品展示室に商品見本を展示する自動販売機の商品見本展示装置に係り、特に商品見本を商品展示室内の任意の位置にレイアウトすることができるようにした自動販売機の商品見本展示装置に関する。
【背景技術】
【０００２】
この種の自動販売機として缶入り飲料，ペットボトル入り飲料等の商品を販売する一般的な自動販売機は断熱筐体としてなる本体ケースの前面に片開き式の外扉が設けられ、当該外扉には複数の商品見本を展示する商品展示室が形成されている。この商品展示室の前面は商品見本を外部から視認できるように透明パネルで覆われ、前記展示室内には当該商品展示室の左右方向に延在する横長の商品展示台が上下方向に複数段配設され、これらの商品展示台に商品見本が載置されている。前記商品見本は缶入り飲料，ペットボトル入り飲料等の意匠を施した本体部の底部に嵌合部が形成されている一方、横長の商品展示台の載置面には円形の開口部が複数穿孔されている。そして、前記商品見本の嵌合部を商品展示台の開口部に嵌合させることにより商品展示室に商品見本を横一列に並べて展示し、商品展示台の下部に配設された蛍光灯により照明するように構成されている（例えば、特許文献１）。
このように商品展示室の左右方向に延在し上下方向に複数配設した商品展示台に商品見本を横一列に並べて展示する自動販売機の商品見本展示装置にあっては商品見本のレイアウトが画一的であるので差別化できない。このため、商品展示室内の任意の位置に商品見本をレイアウトすることにより差別化して衆目を集めるようにした自動販売機の商品見本展示装置として次記のものが知られている。その一つは、商品展示室の後面を画成する展示パネルに多数の係合穴（パンチング穴）を形成する一方、商品見本を個別に載置するホルダーに前記係合穴に着脱自在な一対のボスを設け、前記ホルダーのボスを係合穴に差し込んで商品見本を商品展示室の任意位置に展示するものである（例えば、特許文献２）。また、他の一つは、商品展示室の形状に一致させた額縁状の陳列フレームに左右方向に横架されるバーを上下方向多段に配設する一方、商品見本を個別に載置する商品見本陳列台に前記バーに係止するフックを設け、前記商品見本陳列台のフックをバーに係止させて商品見本を商品展示室の任意の位置に展示するものである（例えば、特許文献３）。
【先行技術文献】
【特許文献】
【０００３】
【特許文献１】特開平１０−７９０７９号公報
【特許文献２】特開２０００−１１２４４号公報
【特許文献３】特開２００１−３３１８６０号公報
【発明の概要】
【発明が解決しようとする課題】
【０００４】
上記特許文献２および特許文献３に開示された自動販売機においては商品展示室内の任意の位置に商品見本をレイアウトできる点で優れている。ところで、商品見本の展示姿勢は略鉛直姿勢であって商品展示室内に展示された商品見本の展示姿勢が一様でなければ見栄えを損なうこととなる。かかる点、特許文献２および特許文献３に開示された自動販売機においては商品見本の展示姿勢が不揃いとなって見栄えを損なうおそれがある。すなわち、特許文献１に開示された自動販売機においてはホルダーに設けた一対のボスを展示パネルに形成した任意の係合穴に差し込んで係止するように構成されているため、展示パネルの係合穴に対してホルダーに設けたボスが小さい場合にはホルダーが前傾姿勢となってこのホルダーに保持される商品見本も前傾姿勢となる。また、特許文献３に開示された自動販売機においては横架されたバーに商品見本陳列台に設けたフックを係止するように構成されているため、バーに対するフックの係合状態が緩い場合には商品見本陳列台が前傾姿勢となってこの商品見本陳列台に保持される商品見本も前傾姿勢となる。このように商品見本が前傾姿勢となると、略鉛直姿勢で展示された他の商品見本に対して前傾姿勢の商品見本が外れて落ちてしまうような印象を与えることから見栄えを損なうという課題を有する。これを解決する方法としてボスと係合穴、またはバーとフックの寸法精度を高めることが考えられるが、この場合には精密な加工を必要とすることからコストが増加してしまうという問題を有する。
【０００５】
そこで、本発明は上記の点に鑑みなされたものであり、その目的は前記課題を解決し、商品見本の展示姿勢を簡単な構成により適正に維持することが可能な自動販売機の商品見本展示装置を提供することにある。
【課題を解決するための手段】
【０００６】
上記目的を達成するために請求項１に係る発明は、前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を、当該商品見本を個別に保持するホルダーを介して配列してなる自動販売機の商品見本展示装置において、前記ホルダーは前記中扉に形成された係合部に係合・離脱する係止部を有する固定部材、該固定部材に回動自在に軸支されるとともに前記商品見本を載置する保持部材、および前記固定部材に対して保持部材の取付け角度を調整可能な調整手段とからなり、前記商品展示室周囲の側壁を形成するとともに透明パネルの周縁をその裏面側から保持するパネル押え金具に取り付けてなる照明光源とを備えたことを特徴とする。
また、請求項２に係る発明は、請求項１に記載の自動販売機の商品見本展示装置において、調整手段は前記固定部材に対して保持部材を回動自在に軸支するねじであることを特徴とする。
また、請求項３に係る発明は、請求項１に記載の自動販売機の商品見本展示装置において、保持部材は前記商品見本の選択指定番号、商品価格、および冷温状態を表示する商品情報表示体を保持する掲示部を有することを特徴とする。
【発明の効果】
【０００７】
本発明の請求項１に係る発明は、前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を個別に保持するホルダーを介して配列してなる自動販売機の商品見本展示装置において、前記ホルダーは前記中扉に形成された係合部に係合・離脱する係止部を有する固定部材、該固定部材に回動自在に軸支されるとともに前記商品見本を載置する保持部材、および前記固定部材に対して保持部材の取付け角度を調整可能な調整手段とからなり、前記商品展示室周囲の側壁を形成するとともに透明パネルの周縁をその裏面側から保持するパネル押え金具に取り付けてなる照明光源とを備えたことにより、前記ホルダーを前記中扉に装着して商品展示室内に商品見本を自由にレイアウトした状態で商品見本の展示姿勢が揃っていない場合には、前記調整手段により固定部材に対する保持部材の取付け角度を調整することにより商品見本の展示姿勢を一様に揃えることができる。この結果、ホルダーを中扉に装着した際の結合状態を維持、つまり、商品見本の展示姿勢が一様となるようにホルダーと中扉の結合状態を堅固なものとするために両者の寸法精度を高めて精密加工を施すというような作業を必要としないので、コストの増加を招来することなく、簡単な構成により商品見本の展示姿勢を適正に維持することができるという効果を有する。
【０００８】
また、請求項２に係る発明は、請求項１に記載の自動販売機の商品見本展示装置において、調整手段は前記固定部材に対して保持部材を回動自在に軸支するねじであることにより、前記固定部材と保持部材とを軸支するねじを定部材に対する保持部材の取付け角度を調整する調整手段として兼用できるという効果を有する。
また、請求項３に係る発明は、請求項１に記載の自動販売機の商品見本展示装置において、保持部材は前記商品見本の選択指定番号、商品価格、および冷温状態を表示する商品情報表示体を保持する掲示部を有することより、商品見本とともに商品見本の商品情報を利用者に一目で判断できるように一様に表示することができるという効果を有する。
【図面の簡単な説明】
【０００９】
【図１】本発明の実施の形態１である自動販売機を示し、（ａ）はその全体構成を示す正面図、（ｂ）は（ａ）の自動販売機の外扉、および中扉を開放した状態を示す斜視図である。
【図２】図１の中扉を示す斜視図である。
【図３】図１のレイアウト部材を示す斜視図である。
【図４】図３のレイアウト部材の中扉への組付けを説明するための斜視図である。
【図５】図１のホルダーを示し、（ａ）はその組立斜視図、（ｂ）および(ｃ)はそれぞれ固定部材および保持部材のそれぞれの部品の斜視図である。
【図６】図５のホルダーをレイアウト部材に装着した状態を示す斜視図である。
【図７】図１のポスター部材を示し、（ａ）はその分解斜視図、（ｂ）はその組立を示す斜視図である。
【図８】図１の照明光源として発光ダイオードモジュールを示す斜視図である。
【図９】発光ダイオードモジュールのパネル押え金具への組付け状態を示す斜視図である。
【図１０】レイアウト部材に装着される照明光源として発光ダイオードモジュールユニットを示し、（ａ）はその分解斜視図、（ｂ）はその組立図である。
【発明を実施するための形態】
【００１０】
以下、本発明における実施の形態である自動販売機を図面に基づいて説明する。
（実施の形態１）
図１は本発明の実施の形態１である自動販売機の全体構成を示す。図において、１は前面が開放した断熱筐体として形成された本体キャビネットである。この本体キャビネット１の庫内は断熱仕切壁により左右方向に複数の商品収納室に区分され、各商品収納室には缶入り飲料，ペットボトル飲料等の商品を収容するとともにその下端に後述する商品選択ボタンの操作により商品を搬出する商品払出機構を有する商品収納ラックが収設されている。また、各商品収納室の下部には当該各商品収納室を冷却もしくは加熱して商品収納ラックに収容した商品を冷却・加熱する冷却／加熱ユニットが配設されている。そして、本体キャビネット１の前面開口は片開き式の断熱内扉２０により閉塞されている。
前記本体キャビネット１の前面には不図示のヒンジ機構により開閉自在な片開き式の外扉２が設けられ、この外扉２の前面の上部域には商品展示室３が設けられている。この商品展示室３はその前面側が透明パネル４で覆われ、背面側が中扉２１により覆われている。前記透明パネル４の上下左右の周縁はその裏面側に配設された上下左右のパネル押え金具４１〜４４（図１の（ｂ）参照）により保持され、これらのパネル押え金具４１〜４４が商品展示室３の周囲の側壁を形成している。詳細については後述するが、前記上下左右のパネル押え金具４１〜４４のうち、下側のパネル押え金具４２を除く上側のパネル押え金具４１と左右のパネル押え金具４３，４４には照明光源７０（後述する発光ダイオードモジュール組立体からなる）が配設されている。
前記商品展示室３の背面壁を形成する中扉２１は左端側をヒンジ２１ａ（図１の（ｂ）参照）により外扉２に開閉自在に取付けられている。この中扉２１には本発明にかかるレイアウト部材１０が上下方向に複数段配設され、このレイアウト部材１０の任意位置に商品見本８、ポスター部材９、および照明光源７０が展示されるように構成されている。なお、前記商品見本８は後述するホルダー１２を介してレイアウト部材１０に展示されるように構成されている。前記外扉２における商品展示室３の下方左側領域には商品展示室３に展示された複数の商品見本８を選択する商品選択ボタン５ａを集中して配置したボタン部５が設けられている。前記外扉２における商品展示室３の下方右側領域には接客部６が設けられ、この接客部６には硬貨投入口６１、紙幣挿入口６２、返却レバー６３、投入金額，庫内温度，販売中，準備中等の各種情報をディスプレイに表示する販売情報表示部６４が組付けられている。また、外扉２における高さ方向略中央であって右端側（反ヒンジ機構側）にはシリンダー錠付きの主ロック装置７が設けられている。そして、前記外扉２における下部領域には硬貨返却口２ａ、商品販売口２ｂが設けられている。
【００１１】
さて、前記中扉２１は、図２に示すように、矩形形状の周囲を補強のために折り曲げられた薄板板金からなり、その表面には白色塗装が施されている。前記中扉２１の板面には左右の端部側に矩形の係止穴２１１ａが設けられ、この係止穴２１１ａ，２１１ａの間に鉤形の係止穴２１１ｂが設けられており、この実施の形態では中央位置に穿孔された配線用開口２１１ｃを中心として左右対称に２個の係止穴２１１ａと４個の係止穴２１１ｂがマトリックス状に設けられている。なお、配線用開口２１１ｃの下方にはナイロンリベットの挿通孔２１１ｄが穿孔されている。前記マトリックス状の行である左右方向に並ぶ係止穴２１１ａ，係止穴２１１ｂ，配線用開口２１１ｃ，挿通孔２１１ｄが一つの段２１１を形成し、この段２１１が上下方向に均等ピッチで複数段２１１〜２ｎｎ形成されている。
前記中扉２１に固着されるレイアウト部材１０は、図３に示すように、左右方向に細長い板金を縦断面鳥打帽状に折り曲げて形成されてなり、中扉２１と同様に白色塗装が施されている。商品見本展示用ステージとなる天板１０ａには左右方向に複数の凸状係合穴（係合部）１１が均等ピッチで穿孔されている。また、天板１０ａの端縁には下方に折り曲げられた複数の固定片１０ｃが設けられ、この実施の形態では中扉２１の係止穴２１１ｂに対応して左右対称に４個の固定片１０ｃが設けられている。また、レイアウト部材１０の縦断面鳥打帽状の庇に対応する鍔部１０ｂには中扉２１の係止穴２１１ａに対応して左右対称に２個の切起し片１０ｄが形成され、それぞれの切起し片１０ｄ，１０ｄはそれぞれ同一の方向（図では右方向）を向くように切起されている。前記鍔部１０ｂの左右方向の中央位置にはナイロンリベットの挿通孔１０ｅが穿孔されている。
前記レイアウト部材１０の中扉２１への取付けを図４に示している。図に示すようにレイアウト部材１０の４つの固定片１０ｃと２つの切起し片１０ｄを、中扉２１の前方側から所定の段、例えば、段２１１の４つの係止穴２１１ｂと２つの係止穴２１１ａに対峙させる。この場合、中扉２１の４つの係止穴２１１ｂは上下方向に広幅の穴に細幅の穴を連通してなる鉤形に形成され、広幅の穴が固定片１０ｃの上下方向の長さより大きく、細幅の穴が固定片１０ｃの板厚よりも僅かに大きく形成され、また、中扉の２つの係止穴２１１ａが切起し片１０ｄよりも大きく形成されている。したがって、レイアウト部材１０のそれぞれの固定片１０ｃを中扉２１の係止穴２１１ｂの広幅の穴に対峙させ、また、切起し片１０ｄを係止穴２１１ａに対峙させた上でレイアウト部材１０を後方に向けて押し込むとレイアウト部材１０の固定片１０ｃと切起し片１０ｄが中扉２１を貫通して背面側に突出する。この状態でレイアウト部材１０をスライド、図４では右方向にスライドさせて固定片１０ｃを係止穴２１１ｂの細幅の穴に嵌合させると、固定片１０ｃ、および切起し片１０ｄの先端が係止穴２１１ｂ，２１１ａの縁を跨いで中扉２１の背面側に移動してレイアウト部材１０の前方への移動を阻止するストッパとなる。そして、レイアウト部材１０の鍔１０ｂに形成したナイロンリベット挿通孔１０ｅを介してナイロンリベット（不図示）により固着される。このようにして中扉２１の各段２１１〜２ｎｎに沿ってレイアウト部材１０を固着することによってレイアウト部材１０が上下方向に等間隔で複数段配設されることとなる。
【００１２】
前記レイアウト部材１０に着脱自在に装着されるホルダー１２は、図５に示すように、固定部材１２１、保持部材１２５、および調整手段としてのねじ１２０からなる。前記固定部材１２１は薄板板金を折り曲げて形成されてなり、その表面には白色塗装が施されている。この固定部材１２１は鉛直方向に延在する平板状の基板１２２と、この基板１２２の上端側から後方に向けて直角に折り曲げられるとともに再び鉛直方向に延在するように折り曲げられた係止板１２３と、前記基板１２２の左右端部から前方に折り曲げられた軸支板１２４，１２４からなり、それぞれの軸支板１２４には前記ねじ１２０の挿通孔１２４ａ，１２４ａが設けられている。そして、前記係止板１２３には切り起こしにより下方に延在する係止片（係止部）１２３１が形成されている。前記係止片１２３１の自由端側は撞木鮫の頭部形状（或いはきのこ形状）のように左右方向に延在するストッパ１２３２，１２３２が形成されている。前記係止片１２３１の幅は図３に示したレイアウト部材１０の商品見本展示用ステージに形成する天板１０ａに穿孔された凸状係合穴１１における突部（細幅の穴）の幅よりも小さく形成されている一方、左右のストッパ１２３２，１２３２の両端の間の寸法は凸状係合穴１１における突部（細幅の穴）の幅よりも大きく、かつ、凸状係合穴１１における底部（広幅の穴）の幅よりも小さく定められている。
【００１３】
前記ホルダー１２を構成する保持部材１２５は薄板板金を折り曲げて形成されてなり、その表面には白色塗装が施されている。この保持部材１２５は水平面をなす商品見本載置部１２６と、この商品見本載置部１２６の前端から鉛直に垂下する掲示部１２７と、前記商品見本載置部１２６の左右端部から下方に折り曲げられた側壁１２８，１２８からなり、左右側壁１２８，１２８の間の寸法が前記固定部材１２１の左右の軸支板１２４，１２４の間の寸法よりも僅かに小さく形成されている。前記商品見本載置部１２６には商品見本８の嵌合穴１２６ａが形成され、この嵌合穴１２６ａに商品見本８が取付けられる。前記商品見本載置部１２６の前端から鉛直に垂下する掲示部１２７の自由端（下端）は前方に折り返して保持溝１２７ａが形成されている。また、左右側壁１２８，１２８には前記ねじ１２０のナット１２０１，１２０１が固着されるとともに記掲示部１２７の前方域にまで延在して内方に折り曲げられた保持爪１２８ａ，１２８ａが配設されている。前記保持爪１２８ａ，１２８ａと掲示部１２７の表面との間には商品情報表示体１３（図５の（ａ）参照）の厚さよりも僅かに大きい隙間が形成されている。前記商品情報表示体１３はホルダー１２の掲示部１２７（の表面）と略同一の大きさに形成され、その表面には商品見本８の商品情報としての商品見本指定番号（例えば、１〜Ｎ），商品価格（例えば、\１２０），冷温状態（例えば、寒色の背景色に白抜きの「ＣＯＬＤ」、若しくは暖色の背景色に白抜きの「ＨＯＴ」）が表示されている。この商品情報表示体１３はホルダー１２の掲示部１２７に上方から差し込むことにより保持溝１２７ａと保持爪１２８ａ，１２８ａとにより掲示部１２７に掲示される。
【００１４】
前述したホルダー１２は前記保持部材１２５を前記固定部材１２１に組付けることにより一体化される。すなわち、前記保持部材１２５の商品見本載置部１２６および左右の側壁１２８，１２８を前記固定部材１２１の左右の軸支板１２４，１２４の間に前方側から挿入し、左右の軸支板１２４，１２４の挿通孔１２４ａ，１２４ａに左右の側壁１２８，１２８のナット１２０１，１２０１を対峙させたうえで左右の軸支板１２４，１２４の外側から前記挿通孔１２４ａ，１２４ａを介してねじ１２０をナット１２０１，１２０１に捻じ込んで両者を連結させる。この場合、前記保持部材１２５の商品見本載置部１２６および左右の側壁１２８，１２８の後端は固定部材１２１における基板１２２の表面との間に間隙を有するように構成されており、これによりねじ１２０を中心に保持部材１２５が上下方向に回動する。したがって、ねじ１２０を緩めて保持部材１２５を回動させることにより保持部材１２５の取付け角度（通常の組立状態では保持部材１２５が固定部材１２１に対して直角となる角度で取付けられている）を調整することができる。
前記ホルダー１２のレイアウト部材１０の装着した状態を図６に示している。図に示すようにホルダー１２の係止片１２３１をレイアウト部材１０の商品見本展示用ステージとなる天板１０ａに形成した凸状係合穴１１に挿入する。この場合、係止片１２３１の自由端側の左右方向に延在するストッパ１２３２，１２３２を凸状係合穴１１の広幅の穴から挿入する。このように、ホルダー１２の係止片１２３１をレイアウト部材１０の凸状係合穴１１に挿入した上で、ホルダー１２を手前にスライドさせるとホルダー１２の係止片１２３１がレイアウト部材１０の凸状係合穴１１の細幅の穴に移動し、係止片１２３１の自由端側に左右方向に延在するストッパ１２３２，１２３２がレイアウト部材１０の天板１０ａの背面に係合する。このようにしてホルダー１２の係止片１２３１をレイアウト部材１０の凸状係合穴１１に係合させると、ホルダー１２がストッパ１２３２，１２３２を中心に反時計方向に重力によって回動し、その基板１２２がレイアウト部材１０に当接して静止する。このように、レイアウト部材１０に装着されたホルダー１２における商品見本載置部１２６の嵌合穴１２６ａに商品見本８（図１参照）が取付けられる。前記商品見本８はこの実施の形態１においてペットボトル入り飲料の意匠を施した円筒状で薄肉の合成樹脂成形品としてなり、商品見本８の下縁を前記嵌合穴１２６ａに嵌合させて取付けられるが、この取付け方法については周知であるのでここでは詳細な説明は省略する。
【００１５】
前記レイアウト部材１０に着脱自在に装着されるポスター部材９は、図７に示すように、板金製の基台９１と、この基台９１の前面を覆う硬質で透明のシート９２からなる。前記基台９１は用紙サイズが「Ａ３」のポスター（不図示）よりも僅かに大きい矩形形状に形成され、その表面には白色塗装が施され、その上縁には左右２個の係止爪（係止部）９１ａ，９１ａが背面側に向けて形成されている。前記係止爪９１ａ，９１ａの形状は図５に示したホルダー１２の係止片１２３１の形状と同一であり、基台９１の上縁から背面側に向けて直角に折り曲げられ、その自由端側が下方に垂下するとともに撞木鮫の頭部形状（或いはきのこ形状）のように左右方向に延在するストッパ（不図示）を備えている。ここで、左右２個の係止爪９１ａ，９１ａの間隔はレイアウト部材１０の商品見本展示用ステージとなる天板１０ａに形成された凸状係合穴（係合部）１１の間のピッチに整数倍となるように定められている。また、前記基台９１の下部側には基台９１を切起して形成された左右２個の係止爪（係合部）９１ｂ，９１ｂが設けられ、この係止爪９１ｂ，９１ｂの形状および間隔は前述した係止爪９１ａ，９１ａの形状および間隔と同一である。そして、前記基台９１の下縁には前方に折り返して保持溝９１ｃが形成されている。一方、シート９２はナイロンリベットにより上端側を前記基台９１に固着して取付けられ、下端側が基台９１の保持溝９１ｃに位置している。
前述したように構成されたポスター部材９には次のようにしてポスターが装填される。すなわち、基台９１に上端側が固着されたシート９２の下端側を前方側に引くとシート９２が湾曲して基台９１との間に隙間が生じるので、ポスター部材９の下端側から前記隙間にポスターを挿入する。ポスターを所定位置まで挿入した上でシート９２から手を離すとシート９２が復元してポスターの前面を覆う。なお、ポスターは基台９１の保持溝９１ｃにより脱落しないように保持されている。このポスター部材９のレイアウト部材１０への装着方法は前述したホルダー１２の装着方法に対して、上下の係止爪９１ａ，９１ａ、係止爪９１ｂ，９１ｂをレイアウト部材１０の対応する凸状係合穴１１に同時に挿入する点を除けば同一である。つまり、上下の係止爪９１ａ，９１ａ、係止爪９１ｂ，９１ｂをレイアウト部材１０の対応する凸状係合穴１１に同時に挿入した上で前方にスライドさせると上下の係止爪９１ａ，９１ａ、係止爪９１ｂ，９１ｂがレイアウト部材１０に係止することによってポスター部材９はレイアウト部材１０に装着される。
【００１６】
前記商品展示室３の周壁に配設される照明光源７０としての発光ダイオードモジュールは、図８に示すように、遮光材からなる短冊状の台座７１と拡散用レンズ７２と取付金具７３からなる。前記台座７１には複数の発光ダイオード素子（不図示）を実装した回路基板が配設されており、当該回路基板に接続された配線接続用コネクタ７４は拡散用レンズ７３を貫通して引き出されている。前記発光ダイオードモジュール７０の取付金具７３の左右両端部はねじ固定部として形成されており、その一方の端部のねじ固定部には寸法誤差を吸収するために開放したねじ挿通穴として形成されている。
前述した発光ダイオードモジュール７０は図１に示した商品展示室３の周囲の側壁を形成するパネル押え金具に取付けられ、パネル押え金具への組付けを図９に示す。前述した図１において説明したように透明パネル４の上下左右の周縁はその裏面側に配設された上下左右のパネル押え金具４１〜４４によって保持されており、図９において、４１で上側のパネル押え金具、４３，４４で左右のパネル押え金具を示し、４５，４６はそれぞれ発光ダイオードモジュール７０の取付金具を示し、４７，４８はそれぞれ採光板を示している。なお、上下左右のパネル押え金具４１〜４４はその表面に白色塗装が施され、それぞれの前縁（図９では上側のパネル押え金具４１と左右のパネル押え金具４３，４４の前縁４１ａ，４３ａ，４４ａが示されている）が透明パネル４の背面に当接し、その後縁４１ｂ，４３ｂ，４４ｂが外扉２の扉枠に固定して取付けられている。
前記上側のパネル押え金具４１の板面（表面）には前記発光ダイオードモジュール７０が直接固着されるように構成されている。すなわち、上側のパネル押え金具４１には発光ダイオードモジュール７０がその取付金具７３（図８参照）の左右両端部のねじ固定部を介してねじにより固着されており、発光ダイオードモジュール７０が商品展示室３に露出するように組付けられている。この実施の形態では上側のパネル押え金具４１に３個の発光ダイオードモジュール７０が取付けられており、それぞれの発光ダイオードモジュール７０は配線接続用コネクタ７４（図８参照）を介して直列接続されている。
一方、商品展示室３の左右側壁側に配設される発光ダイオードモジュール７０は左右のパネル押え金具４３，４４の背面側に配設されている。すなわち、左右のパネル押え金具４３，４４には商品展示室３の周壁となる板面にそれぞれ２個の開口４３ｃ，４３ｃ、４４ｃ，４４ｃが設けられ、その開口４３ｃ，４３ｃ、４４ｃ，４４ｃの大きさは前記発光ダイオードモジュール７０の拡散用レンズ７２の外形寸法より大きく形成されている。また、左右のパネル押え金具４３，４４の背面側には発光ダイオードモジュール７０を保持する取付金具４５，４６が設けられている。前記取付金具４５，４６は薄板板金を適宜折り曲げて形成されてなるものであり、外扉２の扉枠に固着されてパネル押え金具４３，４４に覆われるように構成されている。前記取付金具４５，４６には発光ダイオードモジュール７０がパネル押え金具４３，４４の開口４３ｃ，４３ｃ、４４ｃ，４４ｃに臨むように取付けられており、それぞれの取付金具４５，４６に取付けられた発光ダイオードモジュール７０は配線接続用コネクタ７４（図８参照）を介して直列接続されている。そして、左右のパネル押え金具４３，４４の前面（表面）側には採光板４７，４８が取付けられる。
このように商品展示室３の左右側壁側に配設された発光ダイオードモジュール７０のように左右のパネル押え金具４３，４４の背後に配設した場合には、配線接続用コネクタ７４に接続される電源線や制御信号線などの配線を目視できないように隠すことができる。なお、上側のパネル押え金具４１に取付けられた発光ダイオードモジュール７０は商品展示室３内に露出しているが、この商品展示室３の上部領域にはロゴタイプなどを表示する表示部材１００（図１の（ｂ）参照）が吊下げられることから自動販売機の前面側から発光ダイオードモジュール７０が見えることはない。
【００１７】
また、前記レイアウト部材１０に装着することにより商品展示室３内に配設される照明光源７０を図１０に示している。この照明光源７０は発光ダイオードモジュールユニット７００として構成され、図に示すように、発光ダイオードモジュール７０と、この発光ダイオードモジュール７０の取付金具７１０と、レイアウト部材１０に係止される係止金具７２０、および目隠し板７３０とからなり、取付金具７１０，係止金具７２０、および目隠し板７３０はそれぞれ薄板板金製であって白色塗装が施されている。前記発光ダイオードモジュール７０は図８に示したものと同一である。前記取付金具７１０は縦断面Ｌ字形に折り曲げられた底板７１１と前板７１２とからなり、底板７１１の左右両端には上方に向けて鉛直に折り曲げられるとともにねじ挿通穴を有する連結片７１３，７１３が形成されている。この取付金具７１０の底板７１１の下面に前記発光ダイオードモジュール７０がねじにより固着される。前記係止金具７２０は縦断面逆Ｌ字形に折り曲げられた主板７２１と天板７２２からなり、天板７２２の左右両端には天板７２２から上方に向くように折り曲げられたタブ７２３，７２３が形成されるとともにタブ７２３，７２３の近傍に係止片７２４，７２４が形成されている。前記係止片７２４，７２４の形状は図５に示したホルダー１２の係止片１２３１の形状と同一であり、その自由端側が下方に垂下するとともに撞木鮫の頭部形状（或いはきのこ形状）のように左右方向に延在するストッパ（不図示）を備えている。ここで、左右２個の係止爪７２４，７２４の間隔はレイアウト部材１０の商品見本展示用ステージとなる天板１０ａに形成された凸状係合穴（係合部）１１の間のピッチに整数倍となるように定められている。また、前記係止金具７２０における主板７２１の左右両端には前方に向けて折り曲げられるとともにねじ挿通穴を有する固定片７２５，７２５が形成されている。前記目隠し板７３０は上縁を後方に傾斜するように形成された庇７３１が形成されている。
【００１８】
前述した構成からなる発光ダイオードモジュールユニット７００として組立た状態を図１０の（ｂ）に示しており、発光ダイオードモジュール７０を底板７１１の下面に固着した取付金具７１０の左右の連結片７１３，７１３の外側に係止金具７２０の固定片７２５，７２５を重ね合わせて両者をねじＳ１により固着し、取付金具７１０の前板７１２の前方に目隠し板７３０を重ね合わせて両者をねじＳ２により固着することにより発光ダイオードモジュールユニット７００が組立られる。この発光ダイオードモジュールユニット７００のレイアウト部材１０への装着は前記ホルダー１２の装着方法に対して、係止金具７２０に形成した左右の係止爪７２４，７２４をレイアウト部材１０の対応する凸状係合穴１１に同時に挿入する点を除けば同一である。つまり、左右の係止爪７２４，７２４をレイアウト部材１０の対応する凸状係合穴１１に同時に挿入した上で前方にスライドさせると左右の係止爪７２４，７２４がレイアウト部材１０に係止することによって発光ダイオードモジュールユニット７００がレイアウト部材１０に装着される。ここで、発光ダイオードモジュールユニット７００の配線はレイアウト部材１０の断面コ字形の空間を介して中扉２１に穿孔された配線用開口２１１ｃを通して引き回される。なお、ねじＳ１を緩めて係止金具７２０に対して取付金具７１０を回動させることにより発光ダイオードモジュール７０からの照射方向を可変とすることができる。
【００１９】
前述したように商品展示室３の任意の位置に商品見本８、ポスター部材９をレイアウトした一例を図１に示している。この場合、図１のように商品展示室３の任意の位置に装着されたポスター部材９の近傍、図の例ではポスター部材９の左右に装着された商品見本８を特定の商品見本とするのがよい。特定の商品見本とはポスター部材９に掲示されたポスターが新発売の商品の広告である場合には新発売の商品に対応する商品見本であり、また、ポスターがキャンペーン期間中のおすすめ商品の広告である場合にはそのおすすめ商品に対応する商品見本などである。このように、ポスター部材９の近傍に特定の商品見本８を配置してなることにより、目に留まり易いポスターの近傍に特定の商品見本が位置するので特定の商品見本を利用者にアピールすることができるという効果を有する。前述したように商品展示室３の任意の位置に商品見本８を展示した状態において、商品見本８の展示姿勢に傾き（例えば、前傾姿勢）がある場合には、当該商品見本８を保持するホルダー１２のねじ１２０（図５参照）を緩めて保持部材１２５の取付け角度を調整（この場合には保持部材１２５を上方に回動させる）したうえでねじ１２０を締め付けることにより商品見本８の展示姿勢を調整して商品見本８の展示姿勢を揃える。
前述したように、商品展示室３の上側のパネル押え金具４１および左右のパネル押え金具４３，４４に照明光源７０（発光ダイオードモジュール７０）を取り付けるとともに、商品展示室３の任意の位置に商品見本８、ポスター部材９、および照明光源７０（発光ダイオードモジュールユニット７００）をレイアウトした状態で自動販売機に通電すると商品展示室３の上側のパネル押え金具４１および左右のパネル押え金具４３，４４に取り付けた照明光源７０（発光ダイオードモジュール７０）から照射される照明光により商品展示室３内が明るく照明され、また、レイアウト部材１０に取り付けた照明光源７０（発光ダイオードモジュールユニット７００）によりポスター部９に展示されたポスターが際立つように照明される。利用者が商品を購入するために硬貨、若しくは紙幣を投入した場合、投入金額が商品価格に一致、若しくは商品価格を超えた商品に対応する商品選択ボタン５ａが点灯（販売可能状態を表示）する。この場合、商品選択ボタン５ａには商品見本８を保持するホルダー１２に掲示された商品情報表示体１３に表示された商品見本指定番号と一対一で対応する番号が表示されるように構成されており、希望する商品見本８の商品見本指定番号に対応する商品選択ボタン５ａを押すと本体キャビネット１の庫内に収納された商品収納ラックから対応する商品が搬出される。
【００２０】
なお、この実施の形態においてはホルダー１２における保持部材１２５の取付け角度を調整する調整手段としてねじ１２０を用いた場合について説明したが、ラチェット等を用いる、すなわち、固定部材１２１に対して回動自在に保持部材１２５を軸支したうえで、保持部材１２５に設けた歯車に噛み合う爪を固定部材１２１に設けて保持部材１２５を間欠的に回動させるように構成することもできる。また、前記実施の形態においてはホルダー１２を中扉２１に装着するため中扉２１にレイアウト部材１０を設けた場合について説明したが、中扉２１を構成する薄板板金をジグザグに折り曲げて中扉２１に前記レイアウト部材に相当するレイアウト部を直接形成、或いは中扉２１の板面にホルダー１２の係止片１２３１が係合する係合孔を直接形成することもでき、実施の形態の態様に限定されるものではない。
前述したとおり本発明によれば、前面開口が断熱内扉により閉塞され、断熱筐体として形成された本体キャビネット１と、この本体キャビネット１の前面を開閉する片開き式の外扉２を備え、前記外扉２に画成され、前面の透明パネル４と背面の中扉２１により覆われた商品展示室３に商品見本８を、当該商品見本８を個別に保持するホルダー１２を介して配列してなる自動販売機の商品見本展示装置において、前記ホルダー１２は前記中扉２１に形成された係合部（凸状係合穴１１）に係合・離脱する係止部（係止片１２３１）を有する固定部材１２１、該固定部材１２１に回動自在に軸支されるとともに前記商品見本８を載置する保持部材１２５、および前記固定部材１２１に対して保持部材１２５の取付け角度を調整可能な調整手段（ねじ１２０）とからなり、前記商品展示室３周囲の側壁を形成するとともに透明パネル４の周縁をその裏面側から保持するパネル押え金具４１，４３，４４に取り付けてなる照明光源７０とを備えたことにより、前記ホルダー１２を前記中扉２１に装着して商品展示室３内に商品見本８を自由にレイアウトした状態で商品見本８の展示姿勢が揃っていない場合には、前記調整手段（ねじ１２０）により固定部材１２１に対する保持部材１２５の取付け角度を調整することにより商品見本８の展示姿勢を一様に揃えることができる。この結果、ホルダー１２を中扉２１に装着した際の結合状態を維持、つまり、商品見本８の展示姿勢が一様となるようにホルダー１２と中扉２１の結合状態を堅固なものとするために両者の寸法精度を高めて精密加工を施すというような作業を必要としないので、コストの増加を招来することなく、簡単な構成により商品見本の展示姿勢を適正に維持することがという効果を有する。
【符号の説明】
【００２１】
１…本体キャビネット、２…外扉、３…商品展示室、４…透明パネル、５…ボタン部、５ａ…商品選択ボタン、８…商品見本、９…ポスター部材、１０…レイアウト部材、１１…凸状係合穴（係合部）、１２…ホルダー、１５…商品情報表示体、２０…内扉、２１…中扉、４１，４２，４３，４４…パネル押え金具、７０…発光ダイオードモジュール（照明光源）、１２０…ねじ（調整手段）、１２１…固定部材、１２５…保持部材、７００…発光ダイオードモジュールユニット（照明光源）、１２３１…係止片（係止部）、１２３２…ストッパ。
【図１】
0005526812.tif 000002
【図２】
0005526812.tif 000003
【図３】
0005526812.tif 000004
【図４】
0005526812.tif 000005
【図５】
0005526812.tif 000006
【図６】
0005526812.tif 000007
【図７】
0005526812.tif 000008
【図８】
0005526812.tif 000009
【図９】
0005526812.tif 000010
【図１０】
0005526812.tif 000011